【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
他の気液接触モジュールと並列または直列に配置されるように構成される気液接触モジュールであって、
液体入口と、
気体入口と、
気体出口と、
ノズルプレートに配され、前記液体入口と前記気体入口と連通し、複数のフラット液体ジェットを生成するノズルアレイと、
気体の通過を実質的に阻みつつ、液体を通過させる気液分離器と、
を備える気液接触モジュール。
【請求項２】
前記ノズルアレイは、２ｍｍ以上の深さを有するチャネルを含む、
請求項１に記載の気液接触モジュール。
【請求項３】
前記ノズルアレイは、短軸の長軸に対する比率が０．５未満である少なくとも１つのノズルを含む、
請求項１または請求項２に記載の気液接触モジュール。
【請求項４】
前記ノズルアレイはＵ型チャネル、Ｖ型チャネルまたは半円形状のチャネルを含む、
請求項１または請求項２に記載の気液接触モジュール。
【請求項５】
前記ノズルアレイは、０．２５ｍｍ２から２０ｍｍ２の範囲の投影横断面積を有する少なくとも１つのノズルを含む、
請求項１または請求項２に記載の気液接触モジュール。
【請求項６】
前記ノズルアレイは、０．２ｃｍを超える距離で分離された少なくとも２つのノズルを含む、
請求項１または請求項２に記載の気液接触モジュール。
【請求項７】
前記ノズルアレイは、少なくとも１つの行のノズルを含む、
請求項１または請求項２に記載の気液接触モジュール。
【請求項８】
前記ノズルアレイは、千鳥構成の複数のノズルを含む、
請求項１または請求項２に記載の気液接触モジュール。
【請求項９】
前記ノズルアレイは、横流の気液接触モジュール、並流の気液接触モジュールまたは向流の気液接触モジュールを提供するよう方向付けられる、
請求項１または請求項２に記載の気液接触モジュール。
【請求項１０】
前記液体入口は、ノズルチャネルに対して９０度の角度で前記ノズルアレイに液体を供給する、
請求項１または請求項２に記載の気液接触モジュール。
【請求項１１】
互いとの間に間隔がある複数の湾曲した羽根ポンプまたは互いとの間に間隔がある複数の角度付けされた羽根ポンプを含む、
請求項１または請求項２に記載の気液接触モジュール。
【請求項１２】
前記気液分離器に隣接して設けられた液体ドレインプレナムをさらに備える、
請求項１または請求項２に記載の気液接触モジュール。
【請求項１３】
前記気液接触モジュールは、銅、ニッケル、クロム、鋼、アルミニウム、被覆金属、プラスチック材料、構造ポリマーおよびポリイミドからなる群から選択された少なくとも１つの材料を含む、
請求項１または請求項２に記載の気液接触モジュール。
【請求項１４】
並列または直列に接続された少なくとも２つの気液接触モジュールをさらに備える、
請求項１または請求項２に記載の気液接触モジュール。
【請求項１５】
前記複数のフラット液体ジェットは、水、アンモニア、アンモニア塩、アミン、アルカノールアミン、アルカリ塩、アルカリ土類塩、過酸化物、および次亜塩素酸塩のうち少なくとも１つを含む、
請求項１または請求項２に記載の気液接触モジュール。
【請求項１６】
請求項１から請求項１５までの何れか一項に記載の気液接触モジュールで気相分子を除去する方法。
【請求項１７】
前記気相分子は、硫黄酸化物、窒素酸化物、二酸化炭素、アンモニア、酸性ガス、アミン、ハロゲン、および酸素のうちの少なくとも１つを含む請求項１６に記載の方法。
【請求項１８】
各々が平面状の液体シートを含み、それぞれが実質的に平行な平面上に構成されている基本的に平面状の複数の液体ジェットを形成する段階と、
少なくとも１つの反応性または可溶性の気相分子を含む気体を供給する段階と、
前記気相分子の少なくとも一部を、前記気相分子と前記複数の液体ジェットとの間の質量移動による相互作用により除去する段階と
を含む、
請求項１６に記載の方法。
【請求項１９】
前記質量移動による相互作用は、１秒−１から２５０秒−１の範囲の体積質量移動係数を有する、
請求項１８に記載の方法。
【請求項２０】
均一な間隔を有する前記複数のフラット液体ジェットのアレイを形成する段階は、
２ｐｓｉｇから５０ｐｓｉｇの範囲の液圧で前記複数のフラット液体ジェットを形成する段階を有する、
請求項１８に記載の方法。
【請求項２１】
前記気体を供給する段階は、
気体の流量の反応チャンバの体積に対する比率が１００分−１から１０００分−１の範囲である気体を供給する段階を有する、
請求項１８に記載の方法。
【請求項２２】
請求項１または請求項２に記載の気液接触モジュールを複数備える、
気液接触システム。
【請求項２３】
前記気液接触システムは、吸収した硫黄酸化物を亜流酸塩または硫酸塩に鉱化させる、吸収したＣＯ２を炭酸塩に鉱化させる、または、吸収した窒素酸化物を反応させて可溶性の硝酸塩にする、
請求項２２に記載の気液接触システム。
【請求項２４】
気液接触モジュールと連通する二次化学処理サブシステムをさらに備える、
請求項２２に記載の気液接触システム。
【請求項２５】
前記気液接触システムは、純粋なＣＯ２を三次処理用に放出する、
請求項２２に記載の気液接触システム。
【請求項２６】
前記気液接触システムは、５秒−１から２５０秒−１の範囲の体積質量移動係数を有する質量移動による相互作用を行う、
請求項２２に記載の気液接触システム。
【手続補正２】
【補正対象書類名】明細書
【補正対象項目名】０３７２
【補正方法】変更
【補正の内容】
【０３７２】
当業者には本発明の範囲および精神を逸脱しない範囲で本発明に対する様々な変更例および変形例が明らかである。従って本発明は、請求項およびその均等物の範囲内で生じる本発明の変更例および変形例を含むことを意図している。
（項目１）
液体入口と、
気体入口と、
気体出口と、
上記液体入口と上記気体入口と連通し、気体からの擾乱を最小限に抑える形状を有する均一間隔の複数のフラット液体ジェットを生成するノズルアレイと、
気体の通過を実質的に阻みつつ、液体を通過させる気液分離器と、
上記気液分離器と流体連通する液体出口と、
を備える気液接触モジュール。
（項目２）
並列接続された少なくとも２つの気液接触モジュールをさらに備える項目１に記載のモジュール。
（項目３）
直列接続された少なくとも２つの気液接触モジュールをさらに備える項目１に記載のモジュール。
（項目４）
上記気液接触モジュールは、銅、ニッケル、クロム、鋼、アルミニウム、被覆金属、およびこれらの組み合わせからなる群から選択された材料を含む項目１に記載のモジュール。
（項目５）
上記気液接触モジュールは、プラスチック材料を含む項目１に記載のモジュール。
（項目６）
上記気液接触モジュールは、構造ポリマー、ポリイミド、これらの合成物および組み合わせのうち少なくとも１つを含む項目１に記載のモジュール。
（項目７）
上記ノズルアレイは、千鳥構成の複数のノズルを含む項目１に記載のモジュール。
（項目８）
上記気液接触モジュールは、所定の処理要件全体の増分を処理するサイズを有する項目１に記載のモジュール。
（項目９）
上記ノズルアレイは、横流の気液接触モジュールを提供するよう方向付けられる項目１に記載のモジュール。
（項目１０）
上記ノズルアレイは、並流の気液接触モジュールを提供するよう方向付けられる項目１に記載のモジュール。
（項目１１）
上記ノズルアレイは、逆流の気液接触モジュールを提供するよう方向付けられる項目１に記載のモジュール。
（項目１２）
上記ノズルアレイは、約０．２ｃｍを超える距離で分離された少なくとも２つのノズルを含む項目１に記載のモジュール。
（項目１３）
上記ノズルアレイは、少なくとも１つの行のノズルを含む項目１に記載のモジュール。
（項目１４）
上記ノズルアレイは、均一距離で分離された少なくとも３つの行のノズルを含む項目１に記載のモジュール。
（項目１５）
上記ノズルアレイはＵ型チャネルを含む項目１に記載のモジュール。
（項目１６）
上記ノズルアレイはＶ型チャネルを含む項目１に記載のモジュール。
（項目１７）
上記ノズルアレイは、約２ｍｍを超える深さを有するチャネルを含む項目１に記載のモジュール。
（項目１８）
上記ノズルアレイは、約２ｍｍから約２０ｍｍの範囲の深さを有するチャネルを含む項目１に記載のモジュール。
（項目１９）
上記液体入口は、ノズルチャネルに対して約９０度の角度で上記ノズルアレイに液体を供給する項目１に記載のモジュール。
（項目２０）
上記ノズルアレイは第１の行のノズル、第２の行のノズル、および第３の行のノズルを含み、上記第２の行のノズルは、上記第１の行のノズルおよび上記第３の行のノズルの間に設けられ、上記第２の行のノズルは上記第１の行のノズルおよび上記第３の行のノズルからオフセットされている項目１に記載のモジュール。
（項目２１）
上記ノズルアレイは、短軸の長軸に対する比率が０．５未満である少なくとも１つのノズルを含む項目１に記載のモジュール。
（項目２２）
上記ノズルアレイは、約０．２５ｍｍ２から約２０ｍｍ２の範囲の投影横断面積を有する少なくとも１つのノズルを含む項目１に記載のモジュール。
（項目２３）
上記気液分離器は、動作中の液体のバックスプラッシュを実質的に最小限とする項目１に記載のモジュール。
（項目２４）
上記気液分離器は、複数のコンポーネントを含む項目１に記載のモジュール。
（項目２５）
上記複数のコンポーネントは、互いとの間に間隔がある複数の湾曲した羽根ポンプを含む項目２４に記載のモジュール。
（項目２６）
上記複数のコンポーネントは、互いとの間に間隔がある複数の角度付けされた羽根ポンプを含む項目２４に記載のモジュール。
（項目２７）
上記気液分離器に隣接して設けられた液体ドレインプレナムをさらに備える項目１に記載のモジュール。
（項目２８）
気体に混入する液体の少なくとも一部を除去するデミスターをさらに備える項目２７に記載のモジュール。
（項目２９）
上記デミスターは複数のバッフルを含む項目２８に記載のモジュール。
（項目３０）
上記デミスターは上記気体出口に隣接して設けられる項目２８に記載のモジュール。
（項目３１）
上記液体フラットジェットは、水、アンモニア、アンモニア塩、アミン、アルカノールアミン、アルカリ塩、アルカリ土類塩、過酸化物、および次亜塩素酸塩のうち少なくとも１つを含む項目１に記載のモジュール。
（項目３２）
上記液体フラットジェットは、カルシウム塩水溶液およびマグネシウム塩水溶液のうち少なくとも１つを含む項目１に記載のモジュール。
（項目３３）
上記液体フラットジェットは海水を含む項目１に記載のモジュール。
（項目３４）
上記液体入口は塩水を含む項目１に記載のモジュール。
（項目３５）
気液接触器で気相分子を処理する方法であって、
各々が平面状の液体シートを含み、それぞれが実質的に平行な平面上に構成されている基本的に平面状の複数の液体ジェットを形成する段階と、
少なくとも１つの反応性または可溶性の気相分子を含む気体を供給する段階と、
上記気相分子の少なくとも一部を、上記気相分子と上記複数の液体ジェットとの間の質量移動による相互作用により除去する段階と、
を備える方法。
（項目３６）
上記質量移動による相互作用は、約１秒−１から約２５０秒−１の範囲の体積質量移動係数を有する項目３５に記載の方法。
（項目３７）
上記質量移動による相互作用は、約５秒−１から約１５０秒−１の範囲の体積質量移動係数を有する項目３５に記載の方法。
（項目３８）
上記質量移動による相互作用は、約１０秒−１から約１００秒−１の範囲の体積質量移動係数を有する項目３５に記載の方法。
（項目３９）
上記気体を供給する段階は、
気体の流量の反応チャンバの体積に対する比率が約１００分−１から約１０００分−１の範囲である気体を供給する段階を有する項目３５に記載の方法。
（項目４０）
均一な間隔を有する上記複数のフラット液体ジェットのアレイを形成する段階は、
約２ｐｓｉｇから約５０ｐｓｉｇの範囲の液圧で上記フラット液体ジェットを形成する段階を有する項目３５に記載の方法。
（項目４１）
上記アレイの上記複数のフラット液体ジェットのうち少なくとも１つは、約１ｃｍより大きい幅を持つ項目３５に記載の方法。
（項目４２）
上記アレイの上記複数のフラット液体ジェットのうち少なくとも１つは、約１ｃｍから約１５ｃｍの範囲の幅を持つ項目３５に記載の方法。
（項目４３）
上記アレイの上記複数のフラット液体ジェットのうち少なくとも１つは、約１０μｍから約１０００μｍの範囲の厚みを持つ項目３５に記載の方法。
（項目４４）
上記アレイの上記複数のフラット液体ジェットのうち少なくとも１つは、約１０μｍから約２５０μｍの範囲の厚みを持つ項目３５に記載の方法。
（項目４５）
上記アレイの上記複数のフラット液体ジェットのうち少なくとも１つは、約１０μｍから約１００μｍの範囲の厚みを持つ項目３５に記載の方法。
（項目４６）
上記アレイの上記複数のフラット液体ジェットのうち少なくとも１つは、約５ｃｍから約３０ｃｍの範囲の長さを持つ項目３５に記載の方法。
（項目４７）
上記アレイの上記複数のフラット液体ジェットのうち少なくとも１つは、約５ｃｍから約２０ｃｍの範囲の長さを持つ項目３５に記載の方法。
（項目４８）
上記アレイの上記複数のフラット液体ジェットのうち少なくとも１つは、１５ｍ／秒未満の速度を持つ項目３５に記載の方法。
（項目４９）
上記アレイの上記複数のフラット液体ジェットのうち少なくとも１つは、約５ｍ／秒から約１５ｍ／秒の範囲の速度を持つ項目３５に記載の方法。
（項目５０）
項目１の装置で気相分子を除去する方法。
（項目５１）
上記気相分子は、硫黄酸化物、窒素酸化物、二酸化炭素、アンモニア、酸性ガス、アミン、ハロゲン、および酸素のうちの少なくとも１つを含む項目５０に記載の方法。
（項目５２）
上記気相分子は、硫黄酸化物を含む項目５０に記載の方法。
（項目５３）
上記気相分子は、二酸化炭素を含む項目５０に記載の方法。
（項目５４）
上記気相分子は、窒素酸化物を含む項目５０に記載の方法。
（項目５５）
上記気相分子は、アミンを含む項目５０に記載の方法。
（項目５６）
上記気相分子は、塩素を含む項目５０に記載の方法。
（項目５７）
上記平面状の複数の液体ジェットは、水、アンモニア、アンモニア塩、アミン、アルカノールアミン、アルカリ塩、アルカリ土類塩、過酸化物、および次亜塩素酸塩のうち少なくとも１つを含む項目３５に記載の方法。
（項目５８）
上記平面状の複数の液体ジェットは、カルシウム塩水溶液およびマグネシウム塩水溶液のうち少なくとも１つを含む項目３５に記載の方法。
（項目５９）
上記平面状の複数の液体ジェットは海水を含む項目３５に記載の方法。
（項目６０）
上記平面状の複数の液体ジェットは塩水を含む項目３５に記載の方法。
（項目６１）
反応チャンバと、
上記反応チャンバに連結された気体入口と、
上記反応チャンバに連結された気体出口と、
上記反応チャンバに連結された液体プレナムと、
上記液体プレナムに連結され、各々が平面状の液体シートを含み、それぞれが実質的に平行な平面上に構成されている基本的に平面状の複数の液体ジェットを提供するノズルアレイと、
上記反応チャンバに連結された気体流体分離器と、
を備える気液接触システム。
（項目６２）
上記液体プレナムと流体接触する二次化学処理サブシステムをさらに備える項目６１に記載のシステム。
（項目６３）
上記気液接触システムは、吸収した硫黄酸化物を亜流酸塩または硫酸塩に鉱化させる項目６１に記載のサブシステム。
（項目６４）
上記気液接触システムは、吸収したＣＯ２を炭酸塩に鉱化させる項目６１に記載のサブシステム。
（項目６５）
上記気液接触システムは、純粋なＣＯ２を三次処理用に放出する項目６１に記載のサブシステム。
（項目６６）
上記気液接触システムは、吸収した窒素酸化物を反応させて、可溶性の硝酸塩にする項目６１に記載のサブシステム。
（項目６７）
上記気体出口に設けられるデミスターをさらに備える項目６１に記載のシステム。
（項目６８）
上記気体出口に連結される気体出口プレナムをさらに備える項目６７に記載のシステム。
（項目６９）
上記反応チャンバと流体連通する捕捉タンクをさらに備える項目６８に記載のシステム。
（項目７０）
上記ノズルアレイは、千鳥構成の複数のノズルを含む項目６１に記載のシステム。
（項目７１）
上記ノズルアレイは、横流の気液接触システムを提供するよう方向付けられる項目６１に記載のシステム。
（項目７２）
上記ノズルアレイは、並流の気液接触システムを提供するよう方向付けられる項目６１に記載のシステム。
（項目７３）
上記ノズルアレイは、逆流の気液接触システムを提供するよう方向付けられる項目６１に記載のシステム。
（項目７４）
上記ノズルアレイは、少なくとも１つの行のノズルを含む項目６１に記載のシステム。
（項目７５）
上記ノズルアレイはＵ型チャネルを含む項目６１に記載のシステム。
（項目７６）
上記ノズルアレイはＶ型チャネルを含む項目６１に記載のシステム。
（項目７７）
上記ノズルアレイは、約２ｍｍを超える深さを有するチャネルを含む項目６１に記載のシステム。
（項目７８）
上記ノズルアレイは、約２ｍｍから約２０ｍｍの範囲の深さを有するチャネルを含む項目６１に記載のシステム。
（項目７９）
上記ノズルアレイは、短軸の長軸に対する比率が０．５未満である少なくとも１つのノズルを含む項目６１に記載のシステム。
（項目８０）
上記ノズルアレイは、約０．２５ｍｍ２から約２０ｍｍ２の範囲の投影横断面積を有する少なくとも１つのノズルを含む項目６１に記載のシステム。
（項目８１）
気液接触器であって、
接触液体を供給する流体プレナムと、
上記流体プレナムと連通して、上記流体プレナムから上記接触液体を受け取る接触チャンバと、
上記接触チャンバと連通する気体入口と、
上記接触チャンバと連通する気体出口と、
を備え、
上記気液接触器のシステムは、約５秒−１から約２５０秒−１の範囲の体積質量移動係数を有する質量移動による相互作用を行う気液接触器。
（項目８２）
ノズルアレイをさらに備える項目８１に記載の気液接触器。
（項目８３）
上記ノズルアレイは、少なくとも１つの行のノズルを含む項目８１に記載の気液接触器。
（項目８４）
上記ノズルアレイはＵ型チャネルを含む項目８１に記載の気液接触器。
（項目８５）
上記ノズルアレイはＶ型チャネルを含む項目８１に記載の気液接触器。
（項目８６）
上記ノズルアレイは、約２ｍｍを超える深さを有するチャネルを含む項目８１に記載の気液接触器。
（項目８７）
上記体積質量移動係数は、約１０秒−１から約１００秒−１の範囲である項目８１に記載の気液接触器。
（項目８８）
上記体積質量移動係数は、約５秒−１から約２５秒−１の範囲である項目８１に記載の気液接触器。
（項目８９）
気相分子処理に応じたサイズにすることが可能なように並列配置または直列配置とされる複数のモジュール型気液接触器を備える気相分子処理システム。
（項目９０）
上記複数のモジュール型気液接触器の各々は、基本的に平面状の複数の液体ジェットを提供するノズルアレイを含み、上記複数の液体ジェットの各々が平面状の液体シートを含む項目８９に記載のシステム。
（項目９１）
上記気相分子は、揮発性の有機化合物を含む項目５０に記載の方法。